(57)【要約】本発明は、モバイル端末機のＬＣＤバーコードを利用した電子決済システムおよびその方法に関するもので、本発明によると、モバイル端末機に表示される会員情報バーコードを利用して会員識別を簡便に遂行でき、実際的なバーコードの所有者であるかを確認する手続きを介して各種売場で電子決済サービス（クレジットカード、直払いカード、前払いカード、少額決済、Ｇｉｒｏ納入）を簡便に実現でき、会員情報バーコードと会員確認手続きを介して現金支給サービスを具現することができ、交通費およびベンディングマシーンで硬貨の代わりにバーコードで決済することのできる少額決済サービスを提供することができる。
2004533050.tif 000002
【特許請求の範囲】
【請求項１】
インターネット５０を介してモバイル端末機のＬＣＤバーコードを利用して電子決済するためのシステムにおいて、
無線インターネットを介して会員加入、ＬＣＤバーコードの受信および貯蔵機能を遂行し、このＬＣＤバーコードをディスプレイするモバイル端末機１００と、
インターネットを介して会員加入するためのコンピュータ２００と、
会員加入時、各会員別バーコードを生成して前記モバイル端末機に伝送し、使用者確認および代金決済要請時、これに各々応答して現金決済承認処理および使用者確認結果を通報する銀行のサーバーシステム３００と、
前記モバイル端末機１００のＬＣＤバーコードを認識するバーコードスキャナー６００と、
前記バーコードスキャナー６００を介したバーコード情報とともに決済金額および会員秘密番号の入力を受け、使用者確認および代金決済を前記銀行のサーバーシステム３００に要請して、この銀行のサーバーシステム３００からの使用者確認および代金決済承認を確認し、代金決済を処理して伝票を出力する売場クライアントシステム４００と、
前記バーコードスキャナー６００を介したバーコード情報とともに現金引き出し金額および会員秘密番号の入力を受け、使用者確認および現金引き出し金額の現金支給可能に対して前記銀行のサーバーシステム３００に確認要請し、この銀行のサーバーシステム３００からの使用者確認通報および現金支給可能確認通報を受けて現金支給を処理し、この現金支給に対する明細書を出力する現金支給クライアントシステム５００とを具備することを特徴とするモバイル端末機のＬＣＤバーコードを利用した電子決済システム。
【請求項２】
請求の範囲第１項において、前記銀行のサーバーシステム３００は、
会員管理、バーコード生成、口座管理、データベース、保安管理機能などを制御する制御機３１０で、この制御機３１０は、
加入／取り消しを管理する会員管理部３１１と、
加入した会員別の固有のバーコードを生成するバーコード生成部３１２と、
会員の口座に対する一切の内容を管理する口座管理部３１３と、
各会員関連データ、バーコードデータ、口座関連データ、システム運営メンテナンス関連データ、インターネットバンキングサービスのための各種データを貯蔵し管理するデータベース３１４と、
無線バンキングサービスを遂行する無線バンキングサービス部３１５と、
有無線インターネット接続を遂行する有無線インターネット接続部３１７とを含み、
前記制御機３１０の制御に従い画面を出力するモニター３２０と、
キー入力のためのキーボード３３０とを含むことを特徴とするモバイル端末機のＬＣＤバーコードを利用した電子決済システム。
【請求項３】
請求の範囲第２項において、前記銀行のサーバーシステム３００のバーコード生成部３１２は、
口座の数だけお互い異なるバーコードを付与することを特徴とするモバイル端末機のＬＣＤバーコードを利用した電子決済システム。
【請求項４】
請求の範囲第１項において、前記売場クライアントシステム４００は、
売場制御機４１０で、
この売場制御機４１０は、使用者確認通報に従い代金決済を処理する決済処理部４１１と、
売上伝票を出力する売上伝票出力部４１２と、
使用者を確認する使用者確認処理部４１３と、
インターネットに接続するためのネットワーク接続部４１４とを含み、
処理状況および処理結果を画面出力するモニター４２０と、
秘密番号を含むキー入力のためのキーボード４３０とを含むことを特徴とするモバイル端末機のＬＣＤバーコードを利用した電子決済システム。
【請求項５】
請求の範囲第１項において、前記現金支給クライアントシステムは、
制御機５１０で、
この制御機５１０は、現金支給を処理する現金支給処理部５１１と、
現金支給に対する明細書を出力する明細書出力部５１２と、
使用者確認を要請して使用者確認を検査する使用者確認処理部５１３と、
前記使用者確認処理部５１３とインターネットを連結するネットワーク接続部５１４とを含み、
処理状況および処理結果を画面出力するモニター５２０と、
秘密番号および引き出し金額入力のためのキーボード５３０と、
前記現金支給可能通報に従い該当金額を会員に支給する現金支給機５４０とを含むことを特徴とするモバイル端末機のＬＣＤバーコードを利用した電子決済システム。
【請求項６】
インターネットを介してモバイル端末機のＬＣＤバーコードを利用して電子決済する方法において、
（ａ）コンピュータまたはモバイル端末機で銀行のサーバーシステムに接続して会員加入し、加入した会員に固有のバーコードを付与する段階と、
（ｂ）前記各会員に付与されたバーコードを該当会員のモバイル端末機に伝送する段階と、
（ｃ）代金決済を望む会員のモバイル端末機に貯蔵されたバーコード、会員の秘密番号および代金決済金額の入力を受ける段階と、
（ｄ）入力されたバーコード情報、会員秘密番号および代金決済金額を銀行のサーバーシステムに伝送して代金決済を要請する段階と、
（ｅ）代金決済要請に従い、伝送されたバーコードに該当する使用者に対する決済可能可否を判断した後、代金決済が可能である場合は代金決済を遂行した後代金決済完了情報を、代金決済が不可能である場合は代金決済不可能事由情報を、要請のあった売場クライアントシステムに伝送する段階と、
（ｆ）代金決済完了情報の伝送を受けた場合は代金決済を処理し、代金決済不可能である場合はその事由を画面に表示する段階とを具備することを特徴とするモバイル端末機のＬＣＤバーコードを利用した電子決済方法。
【請求項７】
請求の範囲第６項において、前記段階（ａ）は、
会員加入要請時に会員加入を登録し、この会員登録時に会員から会員姓名、住民登録番号、モバイル端末機番号、電話番号、住所、性別、職業を含む会員情報の入力を受けてデータベースに貯蔵することを特徴とするモバイル端末機のＬＣＤバーコードを利用した電子決済方法。
【請求項８】
請求の範囲第７項において、前記段階（ａ）は、
会員の各口座別にお互い異なるバーコードを付与することを特徴とするモバイル端末機のＬＣＤバーコードを利用した電子決済方法。
【請求項９】
請求の範囲第８項において、前記段階（ａ）のバーコードは、
銀行識別番号、会員識別番号、チェックコード情報を含むことを特徴とするモバイル端末機のＬＣＤバーコードを利用した電子決済方法。
【請求項１０】
請求範囲第９項において、前記段階（ｅ）は、
代金決済をクレジットカード決済、少額決済、前払いカードに区分して代金決済を遂行することを特徴とするモバイル端末機のＬＣＤバーコードを利用した電子決済方法。
【請求項１１】
インターネットを介したモバイル端末機のＬＣＤバーコードを利用した現金支給方法において、
（ａ）コンピュータまたはモバイル端末機で銀行のサーバーシステムに接続して会員加入し、加入した会員に固有のバーコードを付与する段階と、
（ｂ）前記各会員に付与されたバーコードを該当会員のモバイル端末機に伝送する段階と、
（ｃ）代金決済を望む会員のモバイル端末機に貯蔵されたバーコード、会員の秘密番号および代金決済金額の入力を受ける段階と、
（ｄ）入力されたバーコード情報、会員秘密番号および現金支給金額を銀行のサーバーシステムに伝送して現金支給を要請する段階と、
（ｅ）現金支給要請に従い、伝送されたバーコードに該当する使用者に対する現金支給可能可否を判断した後、現金支給が可能である場合は現金支給可能情報を、現金支給が不可能である場合は現金支給不可能事由情報を、要請のあった現金支給クライアントシステムに伝送する段階と、
（ｆ）現金支給可能情報の伝送を受けた場合は現金支給を処理してこの現金支給明細書を出力し、現金支給が不可能である場合はその事由を画面に表示する段階とを具備することを特徴とするモバイル端末機のＬＣＤバーコードを利用した現金支給方法。
【発明の詳細な説明】
【技術分野】
【０００１】
本発明はモバイル端末機｛MOBILE PHONE, PDA, AND PAGER｝のLCDバーコードを利用した電子決済システムに関するもので、モバイル端末機に表示される会員情報バーコードを利用して会員識別を簡便に行うことができ、実際的なバーコード所有者であるかを確認する手続きを介して各種売場で電子決済サービス（信用カード、直払いカード、前払いカード、少額決済、Ｇｉｒｏ納入）を簡便に実現することができ、会員情報バーコードと会員確認手続きを介して現金支給サービスを具現することができ、交通費およびベンディングマシーンで硬貨の代わりにバーコードで決済することのできる少額決済サービスを提供することができ、一定の金額を銀行のデータベースに貯蔵した後、その金額だけを使用することによって、計画的な経済活動が可能な前払いカードサービスを実現することができ、特に銀行と会員たちの間で無線ネットワークを介して各種バンキング関連情報を送受信することのできる無線バンキングサービスを具現することができるモバイル端末機のＬＣＤバーコードを利用した電子決済システム、その電子決済方法および現金支給方法に関するものである。
【背景技術】
【０００２】
一般的に、従来の電子決済サービスシステムは、磁気カード形態のクレジットカードを使用しており、少額決済サービスシステムは、携帯電話にＩＣを装着して使用するスマートカードを使用していた。信用カードサービスシステムでは、売場あるいは現金支給機でマグネチック形態に会員情報を貯蔵し、カードリーダー機でこれを認識した後、ＰＳＴＮ網を介して銀行網と連結することによって、信用カードサービスを提供している。一方、スマートカードサービスでは、携帯電話にＩＣを装着し、一定金額に該当するデータをこのＩＣに貯蔵した後、少額決済ごとに決済金額だけ引き落としながら、一定金額をすべて消費したら再び充電する方式で決済サービスを提供している。
【０００３】
前記に記述した従来の技術は、次のような問題点を有している。第１に、マグネチックカード形態の場合、携帯が不便であるという問題点を有している。一人の会員が加入したクレジットカードの銀行の数が増えるに従い、各々の会員が所持しなければならないクレジットカードの数が一緒に増え、これによって携帯が煩わしく、さらに紛失のおそれもそれだけ大きくなる危険がある。特に、銀行クレジットカードだけでなく、百貨店カードはもちろん、各売場で使用されている顧客管理カードまで含めると、会員一人あたり所持するカードの数は急速に増加し、これによる管理の難しさも加重されるのである。
【０００４】
第２に、スマートカードサービスの場合、携帯電話の内部に別途に電子貨幣を貯蔵するためのＩＣを装着しなければならないので、端末価格が高くなり、一定額を消費した場合、再び充電しなければならない不便があり、特に充電所まで直接出向かなければならない煩わしさが伴う。また、スマートカードサービスでは現金支給サービスの提供が不可能な実情である。
【０００５】
第３に、既存のクレジットカードのサービスシステムは、銀行や百貨店から伝達される各種メッセージを受信することができないので、多様なバンキングサービスの具現が不可能な実情である。例えば、会員が口座振替のようなバンキングサービスを受けようとするとき、直接銀行を訪問するか、あるいは電話やインターネットを介して、つまりクレジットカードとは別途のメディアを介してバンキングサービスを受けなければならない。さらに、銀行や百貨店で会員たちに新しい新商品を紹介する場合も、マグネチック形態のカードでは各種サービス関連メッセージを送受信することができない実情である。
【０００６】
第４に、マグネチック形態のクレジットカードサービスとスマートカードサービスとは別途のサービスで、これらの間の統合が難しいため、会員たちの使用の複雑さを招く。例えば、少額決済サービスのためにはスマートカードを所持しなければならないし、現金支給サービス、少額決済サービス、クレジットカードサービスなどのためには携帯電話とは別途にマグネチック形態の銀行カードを別に所持しなければならないので、統合的なバンキングサービスの提供が不可能である。
【発明の開示】
【０００７】
本発明は、前記の問題点を解決するために案出されたもので、従って、本発明の目的は、一般人が常時携帯していると見られるモバイル端末機（携帯電話、ＰＤＡ，ページャー）のＬＣＤ窓に、個人を識別することのできるバーコードをディスプレイすることができるようにして、従来のクレジットカードが有している携帯の不便性および紛失の危険性を除去し、従来のスマートカードサービスが有している充電の不便性をなくし、無線ネットワークを介して無線バンキングサービスを活性化させ、また決済手段であるクレジットカードサービスと電話貨幣概念のスマートカードサービスとを統合的に運営することのできる、モバイル端末機のＬＣＤバーコードを利用した電子決済システム、その電子決済方法および現金支給方法を提供することを目的とする。
【０００８】
前記の本発明の目的を達成するための技術的な手段として、本発明は、インターネットを介してモバイル端末機のＬＣＤバーコードを利用して電子決済する方法において、（ａ）コンピュータまたはモバイル端末機で銀行のサーバーシステムに接続して会員加入し、加入した会員に固有のバーコードを付与する段階；（ｂ）前記各会員に付与されたバーコードを該当会員のモバイル端末機に伝送する段階；（ｃ）代金決済を望む会員のモバイル端末機に貯蔵されたバーコード、会員の秘密番号および代金決済金額の入力を受ける段階；（ｄ）入力されたバーコード情報、会員秘密番号および代金決済金額を銀行のサーバーシステムに伝送して代金決済を要請する段階；（ｅ）代金決済要請に従い、伝送されたバーコードに該当する使用者に対する決済可能可否を判断した後、代金決済が可能である場合は代金決済を行った後代金決済完了情報を、代金決済が不可能である場合は代金決済不可能事由情報を、要請のあった売場クライアントシステムに伝送する段階；（ｆ）代金決済完了情報の伝送を受けた場合は代金決済を処理し、代金決済不可能である場合はその事由を画面に表示する段階；とを具備することを特徴とする。
【発明を実施するための最良の形態】
【０００９】
以下、本発明によるモバイル端末機のＬＣＤバーコードを利用した電子決済システムに関して添付の図面を参照に詳細に説明する。本発明に参照された図面で、実質的に同一な構成と機能を有した構成要素は、同一な符号を使用する。
【００１０】
本発明によるネットワークの構成は、モバイル端末機１００，コンピュータ２００，銀行のサーバーシステム３００，売場クライアントシステム４００，現金支給クライアントシステム５００などが有線および無線インターネットで連結されている。
【００１１】
図１は、本発明によるモバイル端末機のＬＣＤバーコードを利用した電子決済システムの概略図で、図１を参照すると、本発明による電子決済システムは、無線インターネットを介して会員加入、ＬＣＤバーコードの受信および貯蔵機能を遂行し、このＬＣＤバーコードをディスプレイするモバイル端末機１００と、インターネットを介する会員加入のためのコンピュータ２００と、会員加入時、各会員別バーコードを生成して前記モバイル端末機に伝送し、使用者確認および代金決済要請時、これに各々応答して現金決済承認処理および使用者確認結果を通報する銀行のサーバーシステム３００と、前記モバイル端末機１００のＬＣＤバーコードを認識するバーコードスキャナー６００と、前記バーコードスキャナー６００を介するバーコード情報とともに決済金額および会員秘密番号の入力を受け、使用者確認および代金決済を前記銀行のサーバーシステム３００に要請し、この銀行のサーバーシステム３００からの使用者確認および代金決済承認を確認して、代金決済を処理して伝票を出力する売場クライアントシステム４００、そして前記バーコードスキャナー６００を介するバーコード情報とともに現金引き出し金額および会員秘密番号の入力を受け、使用者確認および現金引き出し金額の現金支給可能に対して前記銀行のサーバーシステム３００に確認要請し、この銀行のサーバーシステム３００からの使用者確認通報および現金支給可能確認通報を受けて現金支給を処理し、この現金支給に対する明細書を出力する現金支給クライアントシステム５００とを具備する。
【００１２】
前記モバイル端末機１００は、無線インターネットを介して受信される会員のＬＣＤバーコードデータを貯蔵し、ディスプレイさせる機能を遂行し、銀行のサーバーシステムと連動して無線バンキングサービスのための各種メッセージを送受信する機能を担当し、特にバーコードデータの中、データの前部分に銀行を示すコードを使用することによって、一人の顧客がお互い異なる銀行関連バーコード複数個を貯蔵して選択できるように構成する。
【００１３】
前記コンピュータ２００は、会員たちが会員登録およびログイン申請時、会員情報データを入力し、関連応答メッセージの送信を受ける端末装置に活用され、銀行のサーバーシステムから伝達される各種情報およびバンキングサービス関連メッセージを受信する機能を担当する。
【００１４】
図２は、図１の電子決済システムの処理フローチャートで、図２を参照すると、Ｐ１．Ｐ１'は会員加入、Ｐ２はバーコード伝送、Ｐ３．Ｐ３'はバーコードスキャン、Ｐ４．Ｐ４'はスキャンしたバーコード入力、Ｐ５．Ｐ５'は使用者確認要請、Ｐ６．Ｐ６'は使用者確認結果、Ｐ７は代金決済要請、Ｐ８は代金決済結果の過程を示している。そして、Ｐ５とＰ７は現金支給要請、Ｐ８は現金支給結果の過程を示している。
【００１５】
図３は、本発明による銀行のサーバーシステムの構成図で、図３を参照すると、前記銀行のサーバーシステム３００は、クレジットカードサービスのための口座管理、交通費およびベンディングマシーンで硬貨の代わりに決済することのできる少額決済サービスのための口座内容確認、一定金額限度内で金額を使用できるように許諾する前払いカードサービスのための前払いカード金額入金管理および残額確認機能などを遂行する。そして、有線あるいは無線網を介して会員が口座確認および口座振替などのサービスの提供を受け、銀行から会員たちに各種新商品紹介などのための有無線バンキングサービス機能を遂行する。このような機能を遂行するために、有線インターネットを介してコンピュータおよび売場クライアントおよび現金支給クライアントシステムと連結されており、また無線インターネットを介して会員モバイル端末機と連結されている。
【００１６】
このような機能を遂行する銀行のサーバーシステム１００は、会員管理、バーコード生成、口座管理、データベース、保安管理機能などを制御する制御機３１０と、この制御機３１０の制御に従い画面を出力するモニター３２０と、キーボード３３０とを含む。
【００１７】
前記制御機３１０は、加入／取り消しを管理する会員管理部３１１と、会員別の固有のバーコードを生成するバーコード生成部３１２と、会員の口座に対する一切の内容を管理する口座管理部３１３と、各種会員関連データ、バーコードデータ、口座関連データ、システム運営メンテナンス関連データ、インターネットバンキングサービスのための各種データを貯蔵して管理するデータベース３１４と、無線バンキングサービスを遂行する無線バンキングサービス部３１５および有無線インターネット接続を遂行する有無線インターネット接続部３１７とを含む。
【００１８】
前記会員管理部３１１は、会員約定書、サービス紹介、会員加入手続きなどを案内しながら会員加入時に会員から入力してもらった会員姓名、住民登録番号、モバイル端末機番号、電話番号、住所、性別、職業などをデータベースに保管し、加入取り消しの際に前記データベースを消滅させる。また、前記銀行のサーバーシステムからどのようなサービスの提供を受けたかに対する記録を保管し、誕生日あるいは結婚記念日のような会員個人の記念日には祝賀メッセージを生成して前記有無線インターネット接続部３１７に伝送する。そして、会員登録が完了したら前記バーコード生成部３１２に会員固有のバーコード生成を要請する。
【００１９】
前記バーコード生成部３１２は、前記会員管理部３１１から会員固有のバーコード生成の要求を受けて会員コード、銀行コードおよびチェックコードを含むバーコードデータを生成し、こうして生成されたバーコードは有無線インターネット接続部に伝達される。
【００２０】
前記バーコードに対して、例えば１８桁を使用し、ここで１４桁の十進数は会員番号に該当する会員コードを付与し、既存会員がすでに使用している番号であるか確認する。そして、２桁は銀行コードを付与し、そして２桁はチェックコードを付与することができる。
【００２１】
前記口座管理部３１３は、会員の入出金を管理する機能ブロックで、会員が入金、あるいは他の口座から口座振替を遂行しようとする場合、会員の口座金額をアップデートさせ該当データをデータベースに貯蔵保管する。
【００２２】
また、売場で電子決済サービスの要求時は、会員の決済可能可否を判断する機能も含まれ、前払いカードサービスの場合は、予め定められた一定金額以上に使用するかを判断して、一定金額を超えて使用する場合は、決済不可通報をネットワークを介して通報する。また、会員管理部、あるいは無線バンキングサービス部から残額確認要請が入った場合、該当会員の口座関連データベースを調査して残額を通報する機能を遂行する。
【００２３】
前記システムおよび保管管理部３１６は、銀行のサーバーシステムの全体運営メンテナンス機能を担当し、特にハッカーたちの進入防止のためのファイアーウォールおよび侵入探知機能を遂行する。また、ネットワークを介したデータの送受信時に起こりうるデータ変換防止だけでなく、会員認証機能もともに遂行する。
【００２４】
前記有無線インターネット接続部３１７は、移動通信網を介して会員のモバイル端末機に送出するのだが、このために会員登録／ログインおよびインターネットバンキング時に必要なインターネットプロトコル機能を遂行し、前記のようなＬＣＤバーコード送出機能とともに、無線バンキングサービスのための各種メッセージ送出機能も担当する。
【００２５】
図４は、本発明による売場クライアントシステムの構成図で、図４を参照すると、前記売場クライアントシステム４００は各売場に位置し、会員が電子決済時に必要な各種手続きおよび機能業務を遂行し、会員がモバイル端末機のＬＣＤバーコードをスキャニングするためのバーコードスキャナーが設置されている。このような売場クライアントシステム４００は、売場制御機４１０と、モニター４２０と、キーボード４３０とから構成される。
【００２６】
前記売場制御機４１０は、使用者確認通報に従い代金決済を処理する決済処理部４１１と、売上伝票を出力する売上伝票出力部４１２と、使用者を確認する使用者確認処理部４１３およびインターネットに接続するためのネットワーク接続部４１４とを含む。
【００２７】
前記使用者確認処理部４１３は、モニターを介して会員の秘密番号を入力せよとのメッセージを送出し、この時、会員は秘密番号をキーボードを介して入力し、この入力された会員秘密番号をネットワーク接続部を介して前記銀行のサーバーシステムに伝送して使用者の確認を要請し、前記銀行のサーバーシステムから通報された使用者確認結果に基づき、前記モニターを介して秘密番号の再入力あるいは決済不可メッセージを送出する。そして、決済する顧客が本人であることが確認されたら、これを決済処理部に通報する。
【００２８】
前記決済処理部４１１は、前記バーコードスキャナー６００を介したバーコードデータの中、前２桁の数字を利用して会員が決済しようとする銀行を探し出し、１４桁の会員番号を利用して計１６桁の会員コードを決定した後、決済金額をキーボードを介して入力せよとのメッセージをモニターに送出し、売場の店員がキーボードを介して決済金額を入力すると、会員コードを利用して会員が決済を望む銀行のサーバーシステムにネットワーク接続部を介して口座確認および残額確認を要請し、銀行のサーバーシステムからネットワーク接続部を介して決済の問題がないことが通報されたら、決済処理部は使用者確認処理部に顧客が実際のバーコード所有者であることを確認通報する。そして、使用者確認処理部４１３から使用者確認通報があったら、会員番号とともに決済金額を伝票出力部４１２に送付する。
【００２９】
前記伝票出力部４１２は、会員に筆記具を使用した署名をもらうためにプリンターを介して伝票を出力する機能を遂行し、この出力された伝票の上に会員が本人の署名を終えたら、コピーされた３枚の伝票の中１枚を会員に伝達し、残りの２枚を売場側で保管することによって、本発明によるモバイル端末機（携帯電話、ＰＤＡ，ページャー）のＬＣＤバーコードを利用した電子決済サービス提供が可能である。
【００３０】
図５は、本発明による現金支給クライアントシステムの構成図で、図５を参照すると、前記現金支給クライアントシステム５００は、制御機５１０と、モニター５２０と、キーボード５３０と、前記現金支給可能通報に従い該当金額を会員に支給する現金支給機５４０とを含み、前記制御機５１０は、現金を処理する現金支給処理部５１１と、現金支給に対する明細書を出力する明細書出力部５１２と、使用者確認を要請して使用者確認を検査する使用者確認処理部５１３と、前記使用者確認処理部５１３とインターネットを連結するネットワーク接続部５１４とを含む。
【００３１】
前記現金支給処理部５１１は、モニターを介して会員に会員秘密番号の入力を要求し、キーボードを介して入力された会員秘密番号を使用者確認処理部に伝達し、そしてキーボードを介して入力された現金支給金額を受け、ネットワーク接続部を介して銀行のサーバーシステムに口座確認および残額確認を要求して、現金支給が可能である場合は、現金支給可能を現金支給機に通報する。
【００３２】
前記使用者確認処理部５１３は、前記ネットワーク接続部５１４を介して有線インターネット網で銀行のサーバーシステムにＬＣＤバーコード会員番号と会員秘密番号とが一致するかを確認し、会員番号と会員秘密番号が一致しない場合、会員秘密番号の再入力を要求したり、使用不可メッセージをモニターの画面に出力させる。そして、会員番号と会員秘密番号とが一致する場合、前記現金支給処理部５１１にこれを通報する。
【００３３】
前記バーコードスキャナー６００は、前記モバイル端末機１００の画面に表示されたＬＣＤバーコードをスキャンして、１８桁の十進数から２桁のチェックコードを利用して会員番号に該当する１６桁の十進数を解読し、この解読されたバーコード情報を前記売場クライアントシステム４００または現金支給クライアントシステム５００に伝送する。
【００３４】
図６は、本発明に適用されるバーコードの例示図で、図６を参照すると、本発明では具現の便宜上１次元のバーコードを使用しているが、根本的にバーコードのコード形式には制約を受けない。図２でも分かるように、本発明に使用されるバーコードは、計１８桁の十進数から構成される。最初の２桁の十進数は銀行番号で、本発明を利用する銀行を区分するための用途で使用される。一人の会員が所持している銀行カードの数は多数であると思われるため、本発明では銀行カードはもちろん、百貨店カードおよびその他のバーコードを利用する各種サービスたちを区分するために２桁を割り当てる。次の１４桁は会員番号で、各銀行で会員を区分するための用途で使用され、最後の２桁はバーコードデータが正しいか否かを判断するためのチェックコードに使用される。チェックコードをのぞけば計１６桁で、これは一般クレジットカードの１６桁の数字と一致させることができ、従って既存銀行カード番号を本発明のバーコード形態に直接変換可能である。
【００３５】
図７は、本発明によるモバイル端末機のＬＣＤバーコードを利用した電子決済方法を示すフローチャートで、図８は、本発明によるモバイル端末機のＬＣＤバーコードを利用した現金支給方法を示すフローチャートである。
【００３６】
このように構成された本発明による動作を添付の図面によって下記に詳細に説明する。
【００３７】
図１乃至図７を参照に、本発明によるモバイル端末機のＬＣＤバーコードを利用した電子決済方法および現金支給方法について説明すると、まず段階（ａ）では使用者がコンピュータまたはモバイル端末機を介して銀行のサーバーシステムに接続して会員加入し、加入した会員に固有のバーコードを付与するのだが、会員が本発明のサービスを受けるためにはオンラインあるいはオフラインで会員登録をしなければならず、この中オンライン登録には二つの方法がある。一つの方法は、コンピュータ２００を利用するもので、もう一つの方法は会員モバイル端末機１００を利用する方法である。このような方法を利用して顧客が会員登録すると、銀行のサーバーシステム３００では、会員の姓名、住民登録番号、モバイル端末機番号、電話番号、住所、性別、職業などの会員情報を内部データベースに貯蔵するだけでなく、各会員別または口座別にバーコードを生成して無線インターネットを介してバーコードデータを各会員のモバイル端末機１００に送信することによって、会員モバイル端末機１００のＬＣＤ窓にバーコードをディスプレイできるようにする。
【００３８】
これについて詳しく説明すると、顧客が会員加入のためにＰＣを介して銀行のサーバーシステム３００と連結すると、この銀行のサーバーシステム３００の会員管理部３１１では会員約定書、会員加入手続きなどを案内し、会員から入力してもらった会員姓名、住民登録番号、モバイル端末機番号、電話番号、住所、性別、職業などを内部データベース３１４に保管し、もし加入取り消し時には前記データベース３１４を消滅させる。また、前記会員管理部３１１では、銀行のサーバーシステム３００からどのようなサービスの提供を受けたかに対する記録を保管し、そして誕生日あるいは結婚記念日のような会員個人の記念日には祝賀メッセージを生成して有無線インターネット接続部３１７にこれを送付することによって、会員管理をより有機的で体系的に遂行できるようにする。
【００３９】
このように、会員登録が完了したら、前記会員管理部３１１はバーコード生成部３１２に会員固有のバーコード生成を要請する。この時、前記バーコード生成部３１２は、会員管理部３１１から会員固有のバーコード生成要求を受けて１６桁の十進数に該当する会員番号を選択した後、既存会員が既に使用している番号であるかを確認する。例えば、１６桁の中、２桁は銀行関連コードなので、実際的に各銀行では１４桁に該当する会員番号を決めることができ、定められた１６桁を利用して２桁のチェックコードを作った後、計１８桁に該当する図６に図示したような情報を含むバーコードデータを生成する（Ｓ７１）。
【００４０】
この後、段階（ｂ）では前記各会員に付与されたバーコードを該当会員のモバイル端末機に伝送するのだが、つまり前記のように生成されたバーコードは前記銀行のサーバーシステム３００の有無線インターネット接続部３１７に伝達され、前記有無線インターネット接続部３１７は移動通信網を介して会員のモバイル端末機１００に送出することによって、会員登録の完了された会員がＬＣＤバーコードを使用することができるようになる。
【００４１】
前記のように、会員加入の完了された後、口座管理段階が遂行されるのだが、この時前記銀行のサーバーシステム３００の口座管理部３１３では、各会員に対する入出金を管理することになり、すべての口座関連データの変更は、データベース３１４に貯蔵保管されることになる。このような口座管理を介して、各会員に対して売場クライアントシステム４００あるいは現金支給クライアントシステム５００から口座確認要求が入ったとき、これを確認する機能を遂行する。このような口座管理は随時発生する業務であるが、初期に会員加入を遂行し、口座確認が完了すれば、バーコード送信段階が遂行される。この時、前記銀行のサーバーシステム３００の会員管理部３１１では有無線インターネット接続部３１７を介してバーコードを新規加入会員のモバイル端末機１００に伝送する。
【００４２】
この時、会員モバイル端末機１００は、無線インターネットを介して前記銀行のサーバーシステム３００から会員のＬＣＤバーコードデータの伝送を受けて貯蔵し、この後前記モバイル端末機１００で必要なときに貯蔵されたバーコードをディスプレイさせることができる。前記銀行のサーバーシステム３００と連動して無線バンキングサービスのための各種メッセージを送受信する機能を担当し、特にバーコードデータの中、データの前部分に銀行を示すコードを使用することによって、一人の顧客がお互い異なる銀行関連バーコード多数を貯蔵して選択することができるようにする。
【００４３】
このように、前記銀行のサーバーシステム３００が送信した会員固有のバーコードが、無線ネットワークを介して会員モバイル端末機１００に伝達されることによって、バーコード受信段階が成される。バーコードを受信した会員は、自分のモバイル端末機１００にこれを貯蔵しておき、売場あるいは現金支給機でＬＣＤバーコードを呼び出して使用することになり、各銀行ごとの固有のバーコード体制があるので、例えば各会員は本人が加入している口座の数だけお互い異なるバーコードをモバイル端末機に貯蔵しておくことができる（Ｓ７２）。
【００４４】
以下では、モバイル端末機のＬＣＤバーコードを利用した電子決済方法に関して説明する。
【００４５】
その後、段階（ｃ）では、代金決済を望む会員のモバイル端末機に貯蔵されたバーコード、会員の秘密番号および代金決済金額の入力を受けるのだが、つまり電子決済を遂行しようとするとき、会員は、まず本人の望む銀行を選択し、それに該当するバーコードをモバイル端末機１００のＬＣＤ窓に呼び出し売場のカウンターあるいは現金支給機に付着されているバーコードスキャナー６００を介してスキャンする。このように、会員がクレジットカードサービス、あるいは現金支給サービスを受けるためにＬＣＤバーコードを提示する場合、スキャナーを介してこれを解読して、売場クライアントシステム４００に伝送し、そしてこの売場クライアントシステム４００は、キーボード４３０を介して会員秘密番号の入力を受ける。このように、会員が電子決済を望む場合、バーコードスキャナーを介して解読されたバーコードデータは、売場クライアントシステムの決済処理部４１１に伝達される（Ｓ７３）。
【００４６】
その後、段階（ｄ）で、前記売場クライアントシステム４００は、インターネット網を介して入力されたバーコード情報、会員秘密番号および代金決済金額を銀行のサーバーシステムに伝送して代金決済を要請するのだが、つまり前記決済処理部４１１では、バーコードデータの中、前２桁の数字を利用して会員が決済しようとする銀行を探し出し、１４桁の会員番号を利用して計１６桁の会員コードを決定した後、決済金額をキーボード４３０を介して入力せよとのメッセージをモニター４２０に送出する。この後、売場クライアントシステム４００の決済処理部４１１は、会員が決済を望む銀行のサーバーシステム３００にネットワーク接続部４１４を介して口座確認および残額確認を要請する（Ｓ７４）。
【００４７】
その後、段階（ｅ）で、代金決済要請に従い、前記銀行のサーバーシステム３００は伝送されたバーコードに該当する使用者に対する決済可能可否を判断した後、代金決済が可能である場合代金決済を遂行した後代金決済完了情報を、代金決済が不可能である場合代金決済不可能事由情報を、要請のあった売場クライアントシステム４００に伝送する。
【００４８】
これについて詳しく説明すると、前記銀行のサーバーシステム３００は、クレジットカードサービスのための口座管理、交通費およびベンディングマシーンで硬貨の代わりに決済することのできる少額決済サービスのための口座内容確認、そして一定金額限度内で金額を使用することができるように許諾する前払いカードサービスのための前払いカード金額入金管理および残額確認機能などを遂行する。また、有線あるいは無線網を介して会員が口座確認および口座振替などのサービスの提供を受け、銀行から会員たちに各種新商品紹介などのための有無線バンキングサービス機能も担当する。
【００４９】
前記銀行のサーバーシステム３００の口座管理部３１３は、前記売場クライアントシステム４００から電子決済サービス要求時、会員の決済可能可否を判断し、決済可能である場合に対して、前払いカードサービスの場合は前記口座管理部３１３で予め定められた一定金額以上に使用したかを判断し、一定金額を超えない場合は代金決済を処理した後その結果を通報し、反面一定金額を超えて使用した場合は決済不可通報をネットワークを介して前記売場クライアントシステム４００に通報する。また、残額確認要請が入って場合は該当会員の口座関連データベースを調査して残額を通報する機能を遂行する（Ｓ７５〜Ｓ７７）。
【００５０】
最後に、段階（ｆ）では、代金決済完了情報の伝送を受けた場合代金決済を処理し、代金決済不可能である場合はその事由を画面に表示する。
【００５１】
前記銀行のサーバーシステム３００から決済可能メッセージが伝達されたら、前記売場クライアントシステム４００の使用者確認処理部４１３は顧客が実際のバーコード所有者であることを確認し、この使用者確認を介して最終的に電子決済が完了されたら売上伝票出力段階を遂行するのだが、この時売場クライアントシステム４００の売上伝票出力部４１２は、会員に筆記具を使用した署名をもらうためにプリンターを介して伝票を出力する機能を遂行する。
【００５２】
もし、残額不足または信用不良などによって代金決済が不可能である場合、前記使用者確認処理部４１３は前記銀行のサーバーシステム３００から通報された秘密番号検査結果を基にモニターを介して秘密番号の再入力あるいは決済不可メッセージを送出する（Ｓ７８，Ｓ７９）。
【００５３】
前記のように、前記売場クライアントシステム４００の伝票出力部４１２は、会員に筆記具を使用した署名をもらうためにプリンターを介して伝票を出力する機能を遂行する。このように出力された伝票の上に会員が本人署名を終えたら、コピーされた３枚の伝票の中１枚を会員に伝達し、残りの２枚を売場側で保管するので、本発明によるモバイル端末機（携帯電話、ＰＤＡ，ページャー）のＬＣＤバーコードを利用した電子決済サービス提供が可能である。
【００５４】
以下、インターネットを介したモバイル端末機のＬＣＤバーコードを利用した現金支給方法に関して説明する。
【００５５】
図１乃至図７を参照すると、本発明による現金支給サービスの提供を受けるためには、前記代金決済方法で説明したように、段階（ａ）から段階（ｃ）を遂行しなければならず、これは前記の代金決済方法と同一なので省略する。前述したように、会員登録によってモバイル端末機１００に自分のバーコード、つまり各銀行の口座別バーコードを利用して現金支給方法に関して説明すると次の通りである。
【００５６】
まず、段階（ｄ）では、現金支給クライアントシステム５００は、入力されたバーコード情報、会員秘密番号および現金支給金額を銀行のサーバーシステム３００に伝送し、現金支給を要請する（Ｓ８１，Ｓ８２）。
【００５７】
前記現金支給クライアントシステム５００は、ＬＣＤバーコードを所持した会員に現金支給サービスを提供するための各種手続きおよび機能を遂行するのだが、前述した売場クライアントシステム４００と類似した方法で、現金支給を望む会員が、まずバーコードスキャナー６００を介して本人のＬＣＤバーコードを解読させると、バーコードスキャナー６００は、会員バーコードデータを前記現金支給クライアントシステム５００の現金支給処理部５１１に伝達する。
【００５８】
この時、前記現金支給処理部５１１はモニター５１０を介して会員に会員秘密番号の入力を要求し、キーボード５３０を介して入力された会員秘密番号は使用者確認処理部５１３に伝達される。前記使用者確認処理部５１３は、ネットワーク接続部５１４を介して有線インターネット網で銀行サーバーシステム３００にＬＣＤバーコード会員番号と会員秘密番号とが一致するかを確認要請する。
【００５９】
この後、キーボード５３０を介して入力された現金支給金額を受けた現金支給処理部５１１は、ネットワーク接続部５１４を介して銀行のサーバーシステム３００に口座確認および残額確認を要求する。
【００６０】
その後、段階（ｅ）では、前記で説明したように、現金支給要請に従い、伝送されたバーコードに該当する使用者に対する現金支給可能可否を判断した後、現金支給が可能である場合は現金支給可能情報を、現金支給が不可能である場合は現金支給不可能事由情報を、要請のあった現金支給クライアントシステムに伝送する（Ｓ８４，Ｓ８５）。
【００６１】
最後に、段階（ｆ）では、現金支給可能情報の伝送を受けた場合は現金支給を処理してこの現金支給明細書を出力し、現金支給が不可能である場合はその事由を画面に表示するのだが、詳しく説明すると、前記現金支給クライアントシステム５００の使用者確認処理部５１３は、会員番号と会員秘密番号とが一致しない場合、会員秘密番号の再入力を要求したり、使用不可メッセージをモニター５２０画面に出力し、会員番号と会員秘密番号とが一致する場合、現金支給処理部５１１にこれを通報し、この後、現金支給処理部５１１は会員に支給を望む金額を入力することを要求する。この後、現金支給が可能である場合、現金支給機を介して該当金額を会員に支給する（Ｓ８６，Ｓ８７）。
【００６２】
この時、現金支給と関連したデータは明細表出力部を介してプリントされることによって、本発明によるモバイル端末機（携帯電話、ＰＤＡ、ページャー）のＬＣＤバーコードを利用した現金支給サービス提供が可能である。このような現金支給サービスの場合は、使用者確認を介して最終的に電子決済が完了されたら、現金支給機を介して該当金額を会員に支給し、現金支給と関連したデータは明細表出力部を介してプリントされることによって、全体的な電子決済サービスの提供が可能になる。
【００６３】
上記で説明したように、本発明によると、売場でモバイル端末機を介して代金決済または現金引き出しができるようになるのである。
【００６４】
上述でのような本発明によると、会員登録を介して生成された会員固有のバーコードを銀行のサーバーシステムが無線ネットワークを介して会員のモバイル端末機に送信し、このようなＬＣＤバーコードを利用して売場で電子決済サービスを簡便に提供することができ、交通費およびベンディングマシーンの金額を決済することができる少額決済サービスが可能で、一定金額だけ使用可能にする前払いカードサービスを提供することができるだけでなく、会員のモバイル端末機を介して無線バンキングサービスを提供することができるようにするなど、モバイル端末機所持だけで、各種クレジットカードサービスおよび銀行サービス機能などを安全で統合的に遂行することができる。
【産業上の利用可能性】
【００６５】
前述したように、本発明による効果は次のように要約できる。
【００６６】
１．いつも携帯するモバイル端末機を利用することによって、既存方式が有している携帯の不便性を解消することができる。
【００６７】
２．モバイル端末機に各銀行で発行したバーコードデータを貯蔵しておくことによって、複数個のカードを所持しなければならない既存の方式とは異なり、カード管理の簡便性を期待することができる。
３．マグネットカードの代わりにＬＣＤバーコードを利用することによって、カード制作に所要される費用を節減することのできる経済性が期待される。
【００６８】
４．既存のマグネチック形態のクレジットカードサービスは紛失のおそれが高く、紛失した場合、再発給までの時間が長く所要されるが、本発明は紛失のおそれが少ないだけでなく、別途に再発給時間が所要されないサービスの即時性が期待される。
【００６９】
５．電子貨幣機能のためのスマートカードサービスは、予め定められた金額を使用した後再充電しなければならない不便があったが、本発明は、別途に充電の必要性がないので、使用の便利性がある。
【００７０】
６．既存のマグネチックカードはネットワーク構成が不可能であったが、本発明でのモバイル端末機はメッセージを送受信することができるので、多様なバンキングサービスの具現が可能になる。
【００７１】
７．スマートカードサービスでの少額決済サービスとマグネチックカード形態のクレジットカードサービスとを本発明の電子決済サービスに統合することができるというメリットが期待される。
【００７２】
８．百貨店では、決済サービスだけではなく、顧客管理サービスと連携したサービスが可能なので、多様な応用サービスの創出が期待される。
【００７３】
９．モバイル端末機のＬＣＤバーコードを利用して既存のチケット、クーポン、顧客カードサービスなどを提供する無線バーコード顧客管理システムと連携することによって、使用者の簡便性および便利性を期待することができる。
【００７４】
前記では、本発明の好ましい実施例を参照に説明したが、該当技術分野の熟練された当業者は、下記の特許請求の範囲に記載された本発明の思想および領域から離脱しない範囲内で、本発明を多様に修正および変更させることができることが理解できるであろう。
【００７５】
以上の説明は、本発明の一実施例に対する説明に過ぎず、本発明はその構成の範囲内で多様な変更および改造が可能である。
【図面の簡単な説明】
【００７６】
【図１】図１は、本発明によるモバイル端末機のＬＣＤバーコードを利用した電子決済システムの概略図である。
【図２】図２は、図１の電子決済システムの処理フローチャートである。
【図３】図３は、本発明による銀行のサーバーシステムの構成図である。
【図４】図４は、本発明による売場クライアントシステムの構成図である。
【図５】図５は、本発明による現金支給クライアントシステムの構成図である。
【図６】図６は、本発明に適用されるバーコードの例示図である。
【図７】図７は、本発明によるモバイル端末機のＬＣＤバーコードを利用した電子決済方法を示すフローチャートである。
【図８】図８は、本発明によるモバイル端末機のＬＣＤバーコードを利用した現金支給方法を示すフローチャートである。
【図１】
2004533050.tif 000003
【図２】
2004533050.tif 000004
【図３】
2004533050.tif 000005
【図４】
2004533050.tif 000006
【図５】
2004533050.tif 000007
【図６】
2004533050.tif 000008
【図７】
2004533050.tif 000009
【図８】
2004533050.tif 000010
【国際公開パンフレット】
2004533050.tif 000011
2004533050.tif 000012
2004533050.tif 000013
2004533050.tif 000014
2004533050.tif 000015
2004533050.tif 000016
2004533050.tif 000017
2004533050.tif 000018
2004533050.tif 000019
2004533050.tif 000020
2004533050.tif 000021
2004533050.tif 000022
2004533050.tif 000023
2004533050.tif 000024
2004533050.tif 000025
2004533050.tif 000026
2004533050.tif 000027
2004533050.tif 000028
2004533050.tif 000029
2004533050.tif 000030
2004533050.tif 000031
2004533050.tif 000032
2004533050.tif 000033
2004533050.tif 000034
2004533050.tif 000035
2004533050.tif 000036
2004533050.tif 000037
2004533050.tif 000038
2004533050.tif 000039
2004533050.tif 000040
2004533050.tif 000041
2004533050.tif 000042
2004533050.tif 000043
2004533050.tif 000044
【手続補正書】
【提出日】平成15年1月23日(2003.1.23)
【手続補正１】
【補正対象書類名】特許請求の範囲
【補正対象項目名】全文
【補正方法】変更
【補正の内容】
【特許請求の範囲】
【請求項１】
モバイル端末機に貯蔵されたバーコード情報を利用して電子決済を処理するモバイル端末機のＬＣＤバーコードを利用した電子決済システムにおいて、
前記電子決済システムが：
無線インターネットを介してＬＣＤバーコードを受信して貯蔵し、これをディスプレイする少なくとも１以上のモバイル端末機と；
会員加入時に生成された会員別バーコード情報を貯蔵し、これを前記モバイル端末機に伝送し、使用者確認または代金決済要請を受信して、これに対する決済承認処理または使用者確認処理を遂行し、その結果を通報する銀行のサーバーシステムと；
前記モバイル端末機からＬＣＤバーコードをスキャンして判読するバーコードスキャナーと；
前記バーコードスキャナーを介して判読したバーコード情報と、キー入力された決済金額および会員秘密番号とを含む使用者確認または代金決済要請情報を前記銀行のサーバーシステムに伝送して、前記銀行のサーバーシステムから使用者確認および代金決済承認情報を受信して、前記代金決済承認情報に従い代金決済を処理し、前記代金決済に対する伝票を出力する売場クライアントシステムとを；
含むことを特徴とするモバイル端末機のＬＣＤバーコードを利用した電子決済システム。
【請求項２】
請求の範囲第１項において、
前記売場クライアントシステムが、売場制御機と、処理状況および処理結果を画面出力するモニターと、秘密番号を含むキー入力のためのキーボードとを含むが、
前記売場制御機が：
使用者確認通報に従い代金決済を処理する決済処理部と；
売上伝票を出力する売上伝票出力部と；
使用者を確認する使用者確認処理部と；
インターネットに接続するためのネットワーク接続部とを；
含むことを特徴とするモバイル端末機のＬＣＤバーコードを利用した電子決済システム。
【請求項３】
モバイル端末機に貯蔵されたバーコード情報を利用して電子決済を処理するモバイル端末機のＬＣＤバーコードを利用した電子決済方法において、
銀行のサーバーシステムにより会員加入処理されて付与された該当会員のバーコードを貯蔵したモバイル端末機からバーコードを判読し、会員の秘密番号および代金決済金額の入力を受ける段階と；
入力されたバーコード情報、会員秘密番号および代金決済金額とを含む代金決済要請情報を銀行のサーバーシステムに伝送する段階と；
前記代金決済要請情報に含まれたバーコードから該当会員の決済可能可否を判断し、代金決済を遂行する前記銀行のサーバーシステムから代金決済完了情報または代金決済不可能事由情報を受信し、代金決済完了情報の伝送を受けた場合は代金決済を処理処理し、代金決済不可能事由情報の伝送を受けた場合はその事由を画面に表示する段階とを；
具備することを特徴とする売場クライアントシステムで実行可能なモバイル端末機のＬＣＤバーコードを利用した電子決済方法。
【請求項４】
請求の範囲第３項において、
前記バーコードは、銀行識別番号、会員識別番号、チェックコード情報を含むことを特徴とするモバイル端末機のＬＣＤバーコードを利用した電子決済方法。
【請求項５】
請求の範囲第４項において、
前記バーコードを利用して代金決済時、信用カード決済、少額決済、前払いカード決済の中一つを選択して代金決済を遂行することを特徴とするモバイル端末機のＬＣＤバーコードを利用した電子決済方法。
【請求項６】
モバイル端末機に貯蔵されたバーコードを判読し、これをネットワークを介してサーバーに伝送して認証処理し、この認証結果に従い現金を支給するモバイル端末機のＬＣＤバーコードを利用した現金支給方法において、
（ａ）銀行のサーバーシステムにより会員加入処理されて付与された該当会員のバーコードを貯蔵したモバイル端末機からバーコードを判読し、会員の秘密番号および現金支給金額の入力を受ける段階と；
（ｂ）入力されたバーコード情報、会員秘密番号および現金支給金額とを含む現金支給要請情報を銀行のサーバーシステムに伝送する段階と；
（ｃ）前記現金支給要請情報に含まれたバーコードから該当会員の現金支給可能可否を判断する前記銀行サーバーシステムから現金支給可能情報または現金支給不可能事由情報を受信し、現金支給可能情報の伝送を受けた場合は現金支給処理してその現金支給明細書を出力し、現金支給不可能事由情報の伝送を受けた場合はその事由を画面に表示する段階とを；
具備することを特徴とする現金支給クライアントシステムで実行可能なモバイル端末機のＬＣＤバーコードを利用した現金支給方法。
【請求項７】
請求の範囲第１項において、
前記電子決済システムが：
前記バーコードスキャナーを介して判読したバーコード情報と、キー入力された現金引き出し金額および会員秘密番号とを含む現金引き出し要請情報を前記銀行のサーバーシステムに伝送し、前記銀行のサーバーシステムから使用者確認および現金支給可能確認情報を受信して現金支給を処理し、この現金支給に対する明細書を出力する現金支給クライアントシステムを；
さらに含むことを特徴とするモバイル端末機のＬＣＤバーコードを利用した電子決済システム。
【請求項８】
請求の範囲第１項において、
前記銀行のサーバーシステムが、会員管理、バーコード生成、口座管理、データベース、保安管理機能を含む制御機と、前記制御機の制御に従い画面を出力するモニターと、キー入力のためのキーボードとを含み、
前記制御機が：
会員加入／取り消しを管理する会員管理部と；
加入した会員別の固有のバーコードを生成するバーコード生成部と；
前記売場クライアントシステムによる決済に対する承認処理を含む会員の口座に対する一切の内容を管理する口座管理部と；
各種会員関連データ、バーコードデータ、口座関連データ、システム運用メンテナンス関連データ、インターネットバンキングサービスのための各種データを貯蔵し管理するデータベースと；
前記現金支給クライアントシステムによる決済に対する承認処理を含む無線バンキングサービスを遂行する無線バンキングサービス部と；
有無線インターネット接続を遂行する有無線インターネット接続部とを；
含むことを特徴とするモバイル端末機のＬＣＤバーコードを利用した電子決済システム。
【請求項９】
請求の範囲第８項において、
前記口座管理部が所定金額を充電し、決済に対する承認処理時、この充電された金額以上を超えて使用するかに対して判断して承認処理することを特徴とするモバイル端末機のＬＣＤバーコードを利用した電子決済システム。
【請求項１０】
請求の範囲第８項または第９項において、
前記銀行のサーバーシステムのバーコード生成部が口座の数だけお互い異なるバーコードを付与することを特徴とするモバイル端末機のＬＣＤバーコードを利用した電子決済システム。
【請求項１１】
請求の範囲第７項において、
前記現金支給クライアントシステムが、制御機と、処理状況および処理結果を画面出力するモニターと、秘密番号および引き出し金額入力のためのキーボードと、会員に現金を支給する現金支給機とを含み、
前記制御機が：
現金支給を処理する現金支給処理部と；
現金支給に対する明細書を出力する明細書出力部と；
使用者確認を要請して使用者確認を検査する使用者確認処理部と；
インターネット連結のためのネットワーク接続部とを；
含むことを特徴とするモバイル端末機のＬＣＤバーコードを利用した電子決済システム。
【手続補正２】
【補正対象書類名】明細書
【補正対象項目名】全文
【補正方法】変更
【補正の内容】
【発明の詳細な説明】
【技術分野】
【０００１】
本発明はモバイル端末機｛MOBILE PHONE, PDA, AND PAGER｝のLCDバーコードを利用した電子決済システムに関するもので、モバイル端末機に表示される会員情報バーコードを利用して会員識別を簡便に行うことができ、実際的なバーコード所有者であるかを確認する手続きを介して各種売場で電子決済サービス（信用カード、直払いカード、前払いカード、少額決済、Ｇｉｒｏ納入）を簡便に実現することができ、会員情報バーコードと会員確認手続きを介して現金支給サービスを具現することができ、交通費およびベンディングマシーンで硬貨の代わりにバーコードで決済することのできる少額決済サービスを提供することができ、一定の金額を銀行のデータベースに貯蔵した後、その金額だけを使用することによって、計画的な経済活動が可能な前払いカードサービスを実現することができ、特に銀行と会員たちの間で無線ネットワークを介して各種バンキング関連情報を送受信することのできる無線バンキングサービスを具現することができるモバイル端末機のＬＣＤバーコードを利用した電子決済システム、その電子決済方法および現金支給方法に関するものである。
【背景技術】
【０００２】
一般的に、従来の電子決済サービスシステムは、磁気カード形態のクレジットカードを使用しており、少額決済サービスシステムは、携帯電話にＩＣを装着して使用するスマートカードを使用していた。信用カードサービスシステムでは、売場あるいは現金支給機でマグネチック形態に会員情報を貯蔵し、カードリーダー機でこれを認識した後、ＰＳＴＮ網を介して銀行網と連結することによって、信用カードサービスを提供している。一方、スマートカードサービスでは、携帯電話にＩＣを装着し、一定金額に該当するデータをこのＩＣに貯蔵した後、少額決済ごとに決済金額だけ引き落としながら、一定金額をすべて消費したら再び充電する方式で決済サービスを提供している。
【０００３】
前記に記述した従来の技術は、次のような問題点を有している。第１に、マグネチックカード形態の場合、携帯が不便であるという問題点を有している。一人の会員が加入したクレジットカードの銀行の数が増えるに従い、各々の会員が所持しなければならないクレジットカードの数が一緒に増え、これによって携帯が煩わしく、さらに紛失のおそれもそれだけ大きくなる危険がある。特に、銀行クレジットカードだけでなく、百貨店カードはもちろん、各売場で使用されている顧客管理カードまで含めると、会員一人あたり所持するカードの数は急速に増加し、これによる管理の難しさも加重されるのである。
【０００４】
第２に、スマートカードサービスの場合、携帯電話の内部に別途に電子貨幣を貯蔵するためのＩＣを装着しなければならないので、端末価格が高くなり、一定額を消費した場合、再び充電しなければならない不便があり、特に充電所まで直接出向かなければならない煩わしさが伴う。また、スマートカードサービスでは現金支給サービスの提供が不可能な実情である。
【０００５】
第３に、既存のクレジットカードのサービスシステムは、銀行や百貨店から伝達される各種メッセージを受信することができないので、多様なバンキングサービスの具現が不可能な実情である。例えば、会員が口座振替のようなバンキングサービスを受けようとするとき、直接銀行を訪問するか、あるいは電話やインターネットを介して、つまりクレジットカードとは別途のメディアを介してバンキングサービスを受けなければならない。さらに、銀行や百貨店で会員たちに新しい新商品を紹介する場合も、マグネチック形態のカードでは各種サービス関連メッセージを送受信することができない実情である。
【０００６】
第４に、マグネチック形態のクレジットカードサービスとスマートカードサービスとは別途のサービスで、これらの間の統合が難しいため、会員たちの使用の複雑さを招く。例えば、少額決済サービスのためにはスマートカードを所持しなければならないし、現金支給サービス、少額決済サービス、クレジットカードサービスなどのためには携帯電話とは別途にマグネチック形態の銀行カードを別に所持しなければならないので、統合的なバンキングサービスの提供が不可能である。
【発明の開示】
【０００７】
本発明は、前記の問題点を解決するために案出されたもので、顧客が携帯するモバイル端末機（携帯電話、ＰＤＡ、ページャー）に個人を識別することのできる固有のバーコードを貯蔵し、これをＬＣＤ窓を介してディスプレイし、このバーコード情報を利用して決済処理できるようにして、従来のスマートカードサービスが有している充電の不便性をなくし、無線ネットワークを介して無線バンキングサービスを活性化させ、また決済手段のクレジットカードサービスと電子貨幣概念のスマートカードサービスとを統合的に運営することのできるモバイル端末機のＬＣＤバーコードを利用した電子決済システム、その電子決済方法および現金支給方法を提供することを目的とする。
【０００８】
前記の目的を達成するための本発明の一態様によると、本発明によるモバイル端末機のＬＣＤバーコードを利用した電子決済システムは、無線インターネットを介してＬＣＤバーコードを受信して貯蔵し、これをディスプレイする少なくとも１以上のモバイル端末機と；会員加入時に生成された会員別バーコード情報を貯蔵し、これを前記モバイル端末機に伝送し、使用者確認または代金決済要請を受信して、これに対する決済承認処理または使用者確認処理を遂行し、その結果を通報する銀行のサーバーシステムと；前記モバイル端末機からＬＣＤバーコードをスキャンして判読するバーコードスキャナーと；前記バーコードスキャナーを介して判読したバーコード情報と、キー入力された決済金額および会員秘密番号とを含む使用者確認または代金決済要請情報を前記銀行のサーバーシステムに伝送して、前記銀行のサーバーシステムから使用者確認および代金決済承認情報を受信して、前記代金決済承認情報に従い代金決済を処理し、前記代金決済に対する伝票を出力する売場クライアントシステムとを含むことを特徴とする。
【０００９】
本発明の付加的な態様によると、本発明によるモバイル端末機のＬＣＤバーコードを利用した電子決済システムは、前記バーコードスキャナーを介して判読したバーコード情報と、キー入力された現金引き出し金額および会員秘密番号とを含む現金引き出し要請情報を前記銀行のサーバーシステムに伝送し、前記銀行のサーバーシステムから使用者確認および現金支給可能確認情報を受信して現金支給を処理し、この現金支給に対する明細書を出力する現金支給クライアントシステムをさらに含むことを特徴とする。
【００１０】
本発明によるまた別の態様によると、本発明によるモバイル端末機のＬＣＤバーコードを利用した電子決済方法は、銀行のサーバーシステムにより会員加入処理されて付与された該当会員のバーコードを貯蔵したモバイル端末機からバーコードを判読し、会員の秘密番号および代金決済金額の入力を受ける段階と；入力されたバーコード情報、会員秘密番号および代金決済金額とを含む代金決済要請情報を銀行のサーバーシステムに伝送する段階と；前記代金決済要請情報に含まれたバーコードから該当会員の決済可能可否を判断し、代金決済を遂行する前記銀行のサーバーシステムから代金決済完了情報または代金決済不可能事由情報を受信し、代金決済完了情報の伝送を受けた場合は代金決済を処理処理し、代金決済不可能事由情報の伝送を受けた場合はその事由を画面に表示する段階とを具備することを特徴とする。
【００１１】
本発明のまた別の態様によると、本発明によるモバイル端末機のＬＣＤバーコードを利用した現金支給方法は、銀行のサーバーシステムにより会員加入処理されて付与された該当会員のバーコードを貯蔵したモバイル端末機からバーコードを判読し、会員の秘密番号および現金支給金額の入力を受ける段階段階と；入力されたバーコード情報、会員秘密番号および現金支給金額とを含む現金支給要請情報を銀行のサーバーシステムに伝送する段階と；前記現金支給要請情報に含まれたバーコードから該当会員の現金支給可能可否を判断する前記銀行サーバーシステムから現金支給可能情報または現金支給不可能事由情報を受信し、現金支給可能情報の伝送を受けた場合は現金支給処理してその現金支給明細書を出力し、現金支給不可能事由情報の伝送を受けた場合はその事由を画面に表示する段階とを具備することを特徴とする。
【発明を実施するための最良の形態】
【００１２】
以下、本発明によるモバイル端末機のＬＣＤバーコードを利用した電子決済システムに関して添付の図面を参照に詳細に説明する。本発明に参照された図面で、実質的に同一な構成と機能を有した構成要素は、同一な符号を使用する。
【００１３】
本発明によるネットワークの構成は、モバイル端末機１００，コンピュータ２００，銀行のサーバーシステム３００，売場クライアントシステム４００，現金支給クライアントシステム５００などが有線および無線インターネットで連結されている。
【００１４】
図１は、本発明によるモバイル端末機のＬＣＤバーコードを利用した電子決済システムの概略図で、図１を参照すると、本発明による電子決済システムは、無線インターネットを介して会員加入、ＬＣＤバーコードの受信および貯蔵機能を遂行し、このＬＣＤバーコードをディスプレイするモバイル端末機１００と、インターネットを介する会員加入のためのコンピュータ２００と、会員加入時、各会員別バーコードを生成して前記モバイル端末機に伝送し、使用者確認および代金決済要請時、これに各々応答して現金決済承認処理および使用者確認結果を通報する銀行のサーバーシステム３００と、前記モバイル端末機１００のＬＣＤバーコードを認識するバーコードスキャナー６００と、前記バーコードスキャナー６００を介するバーコード情報とともに決済金額および会員秘密番号の入力を受け、使用者確認および代金決済を前記銀行のサーバーシステム３００に要請し、この銀行のサーバーシステム３００からの使用者確認および代金決済承認を確認して、代金決済を処理して伝票を出力する売場クライアントシステム４００、そして前記バーコードスキャナー６００を介するバーコード情報とともに現金引き出し金額および会員秘密番号の入力を受け、使用者確認および現金引き出し金額の現金支給可能に対して前記銀行のサーバーシステム３００に確認要請し、この銀行のサーバーシステム３００からの使用者確認通報および現金支給可能確認通報を受けて現金支給を処理し、この現金支給に対する明細書を出力する現金支給クライアントシステム５００とを具備する。
【００１５】
前記モバイル端末機１００は、無線インターネットを介して受信される会員のＬＣＤバーコードデータを貯蔵し、ディスプレイさせる機能を遂行し、銀行のサーバーシステムと連動して無線バンキングサービスのための各種メッセージを送受信する機能を担当し、特にバーコードデータの中、データの前部分に銀行を示すコードを使用することによって、一人の顧客がお互い異なる銀行関連バーコード複数個を貯蔵して選択できるように構成する。
【００１６】
前記コンピュータ２００は、会員たちが会員登録およびログイン申請時、会員情報データを入力し、関連応答メッセージの送信を受ける端末装置に活用され、銀行のサーバーシステムから伝達される各種情報およびバンキングサービス関連メッセージを受信する機能を担当する。
【００１７】
図２は、図１の電子決済システムの処理フローチャートで、図２を参照すると、Ｐ１．Ｐ１’は会員加入、Ｐ２はバーコード伝送、Ｐ３．Ｐ３’はバーコードスキャン、Ｐ４．Ｐ４’はスキャンしたバーコード入力、Ｐ５．Ｐ５’は使用者確認要請、Ｐ６．Ｐ６’は使用者確認結果、Ｐ７は代金決済要請、Ｐ８は代金決済結果の過程を示している。そして、Ｐ５とＰ７は現金支給要請、Ｐ８は現金支給結果の過程を示している。
【００１８】
図３は、本発明による銀行のサーバーシステムの構成図で、図３を参照すると、前記銀行のサーバーシステム３００は、クレジットカードサービスのための口座管理、交通費およびベンディングマシーンで硬貨の代わりに決済することのできる少額決済サービスのための口座内容確認、一定金額限度内で金額を使用できるように許諾する前払いカードサービスのための前払いカード金額入金管理および残額確認機能などを遂行する。そして、有線あるいは無線網を介して会員が口座確認および口座振替などのサービスの提供を受け、銀行から会員たちに各種新商品紹介などのための有無線バンキングサービス機能を遂行する。このような機能を遂行するために、有線インターネットを介してコンピュータおよび売場クライアントおよび現金支給クライアントシステムと連結されており、また無線インターネットを介して会員モバイル端末機と連結されている。
【００１９】
このような機能を遂行する銀行のサーバーシステム１００は、会員管理、バーコード生成、口座管理、データベース、保安管理機能などを制御する制御機３１０と、この制御機３１０の制御に従い画面を出力するモニター３２０と、キーボード３３０とを含む。
【００２０】
前記制御機３１０は、加入／取り消しを管理する会員管理部３１１と、会員別の固有のバーコードを生成するバーコード生成部３１２と、前記売場クライアントシステム４００による決済に対する承認処理を含む会員の口座に対する一切の内容を管理する口座管理部３１３と、各種会員関連データ、バーコードデータ、口座関連データ、システム運営メンテナンス関連データ、インターネットバンキングサービスのための各種データを貯蔵して管理するデータベース３１４と、前記現金支給クライアントシステム５００による決済に対する承認処理を含む無線バンキングシステムを遂行する無線バンキングサービス部３１５および有無線インターネット接続を遂行する有無線インターネット接続部３１７とを含む。
【００２１】
前記会員管理部３１１は、会員約定書、サービス紹介、会員加入手続きなどを案内しながら会員加入時に会員から入力してもらった会員姓名、住民登録番号、モバイル端末機番号、電話番号、住所、性別、職業などをデータベースに保管し、加入取り消しの際に前記データベースを消滅させる。また、前記銀行のサーバーシステムからどのようなサービスの提供を受けたかに対する記録を保管し、誕生日あるいは結婚記念日のような会員個人の記念日には祝賀メッセージを生成して前記有無線インターネット接続部３１７に伝送する。そして、会員登録が完了したら前記バーコード生成部３１２に会員固有のバーコード生成を要請する。
【００２２】
前記バーコード生成部３１２は、前記会員管理部３１１から会員固有のバーコード生成の要求を受けて会員コード、銀行コードおよびチェックコードを含むバーコードデータを生成し、こうして生成されたバーコードは有無線インターネット接続部に伝達される。
【００２３】
前記バーコードに対して、例えば１８桁を使用し、ここで１４桁の十進数は会員番号に該当する会員コードを付与し、既存会員がすでに使用している番号であるか確認する。そして、２桁は銀行コードを付与し、そして２桁はチェックコードを付与することができる。
【００２４】
前記口座管理部３１３は、会員の入出金を管理する機能ブロックで、会員が入金、あるいは他の口座から口座振替を遂行しようとする場合、会員の口座金額をアップデートさせ該当データをデータベースに貯蔵保管する。
【００２５】
また、売場で電子決済サービスの要求時は、会員の決済可能可否を判断する機能も含まれ、前払いカードサービスの場合は、予め定められた一定金額以上に使用するかを判断して、一定金額を超えて使用する場合は、決済不可通報をネットワークを介して通報する。また、会員管理部、あるいは無線バンキングサービス部から残額確認要請が入った場合、該当会員の口座関連データベースを調査して残額を通報する機能を遂行する。
【００２６】
前記システムおよび保管管理部３１６は、銀行のサーバーシステムの全体運営メンテナンス機能を担当し、特にハッカーたちの進入防止のためのファイアーウォールおよび侵入探知機能を遂行する。また、ネットワークを介したデータの送受信時に起こりうるデータ変換防止だけでなく、会員認証機能もともに遂行する。
【００２７】
前記有無線インターネット接続部３１７は、移動通信網を介して会員のモバイル端末機に送出するのだが、このために会員登録／ログインおよびインターネットバンキング時に必要なインターネットプロトコル機能を遂行し、前記のようなＬＣＤバーコード送出機能とともに、無線バンキングサービスのための各種メッセージ送出機能も担当する。
【００２８】
図４は、本発明による売場クライアントシステムの構成図で、図４を参照すると、前記売場クライアントシステム４００は各売場に位置し、会員が電子決済時に必要な各種手続きおよび機能業務を遂行し、会員がモバイル端末機のＬＣＤバーコードをスキャニングするためのバーコードスキャナーが設置されている。このような売場クライアントシステム４００は、売場制御機４１０と、モニター４２０と、キーボード４３０とから構成される。
【００２９】
前記売場制御機４１０は、使用者確認通報に従い代金決済を処理する決済処理部４１１と、売上伝票を出力する売上伝票出力部４１２と、使用者を確認する使用者確認処理部４１３およびインターネットに接続するためのネットワーク接続部４１４とを含む。
【００３０】
前記使用者確認処理部４１３は、モニターを介して会員の秘密番号を入力せよとのメッセージを送出し、この時、会員は秘密番号をキーボードを介して入力し、この入力された会員秘密番号をネットワーク接続部を介して前記銀行のサーバーシステムに伝送して使用者の確認を要請し、前記銀行のサーバーシステムから通報された使用者確認結果に基づき、前記モニターを介して秘密番号の再入力あるいは決済不可メッセージを送出する。そして、決済する顧客が本人であることが確認されたら、これを決済処理部に通報する。
【００３１】
前記決済処理部４１１は、例えば前記バーコードスキャナー６００を介して図６に図示したようなバーコードデータの中、前２桁の数字を利用して会員が決済しようとする銀行を探し出し、１４桁の会員番号を利用して計１６桁の会員コードを決定した後、決済金額をキーボードを介して入力せよとのメッセージをモニターに送出し、売場の店員がキーボードを介して決済金額を入力すると、会員コードを利用して会員が決済を望む銀行のサーバーシステムにネットワーク接続部を介して口座確認および残額確認を要請し、銀行のサーバーシステムからネットワーク接続部を介して決済の問題がないことが通報されたら、決済処理部は使用者確認処理部に顧客が実際のバーコード所有者であることを確認通報する。そして、使用者確認処理部４１３から使用者確認通報があったら、会員番号とともに決済金額を伝票出力部４１２に送付する。
【００３２】
前記伝票出力部４１２は、会員に筆記具を使用した署名をもらうためにプリンターを介して伝票を出力する機能を遂行し、この出力された伝票の上に会員が本人の署名を終えたら、コピーされた３枚の伝票の中１枚を会員に伝達し、残りの２枚を売場側で保管することによって、本発明によるモバイル端末機（携帯電話、ＰＤＡ，ページャー）のＬＣＤバーコードを利用した電子決済サービス提供が可能である。
【００３３】
図５は、本発明による現金支給クライアントシステムの構成図で、図５を参照すると、前記現金支給クライアントシステム５００は、制御機５１０と、モニター５２０と、キーボード５３０と、前記現金支給可能通報に従い該当金額を会員に支給する現金支給機５４０とを含み、前記制御機５１０は、現金を処理する現金支給処理部５１１と、現金支給に対する明細書を出力する明細書出力部５１２と、使用者確認を要請して使用者確認を検査する使用者確認処理部５１３と、前記使用者確認処理部５１３とインターネットを連結するネットワーク接続部５１４とを含む。
【００３４】
前記現金支給処理部５１１は、モニターを介して会員に会員秘密番号の入力を要求し、キーボードを介して入力された会員秘密番号を使用者確認処理部に伝達し、そしてキーボードを介して入力された現金支給金額を受け、ネットワーク接続部を介して銀行のサーバーシステムに口座確認および残額確認を要求して、現金支給が可能である場合は、現金支給可能を現金支給機に通報する。
【００３５】
前記使用者確認処理部５１３は、前記ネットワーク接続部５１４を介して有線インターネット網で銀行のサーバーシステムにＬＣＤバーコード会員番号と会員秘密番号とが一致するかを確認し、会員番号と会員秘密番号が一致しない場合、会員秘密番号の再入力を要求したり、使用不可メッセージをモニターの画面に出力させる。そして、会員番号と会員秘密番号とが一致する場合、前記現金支給処理部５１１にこれを通報する。
【００３６】
前記バーコードスキャナー６００は、前記モバイル端末機１００の画面に表示されたＬＣＤバーコードをスキャンして、例えば図６に図示されているような１８桁の十進数から２桁のチェックコードを利用して会員番号に該当する１６桁の十進数を解読し、この解読されたバーコード情報を前記売場クライアントシステム４００または現金支給クライアントシステム５００に伝送する。
【００３７】
図６は、本発明に適用されるバーコードの例示図で、図６を参照すると、本発明では具現の便宜上１次元のバーコードを使用しているが、根本的にバーコードのコード形式には制約を受けない。図２でも分かるように、本発明に使用されるバーコードは、計１８桁の十進数から構成される。最初の２桁の十進数は銀行番号で、本発明を利用する銀行を区分するための用途で使用される。一人の会員が所持している銀行カードの数は多数であると思われるため、本発明では銀行カードはもちろん、百貨店カードおよびその他のバーコードを利用する各種サービスたちを区分するために２桁を割り当てる。次の１４桁は会員番号で、各銀行で会員を区分するための用途で使用され、最後の２桁はバーコードデータが正しいか否かを判断するためのチェックコードに使用される。チェックコードをのぞけば計１６桁で、これは一般クレジットカードの１６桁の数字と一致させることができ、従って既存銀行カード番号を本発明のバーコード形態に直接変換可能である。
【００３８】
図７は、本発明によるモバイル端末機のＬＣＤバーコードを利用した電子決済方法を示すフローチャートで、図８は、本発明によるモバイル端末機のＬＣＤバーコードを利用した現金支給方法を示すフローチャートである。
【００３９】
このように構成された本発明による動作を添付の図面によって下記に詳細に説明する。
【００４０】
図１乃至図７を参照に、本発明によるモバイル端末機のＬＣＤバーコードを利用した電子決済方法および現金支給方法について説明すると、まず段階（ａ）では使用者がコンピュータまたはモバイル端末機を介して銀行のサーバーシステムに接続して会員加入し、加入した会員に固有のバーコードを付与するのだが、会員が本発明のサービスを受けるためにはオンラインあるいはオフラインで会員登録をしなければならず、この中オンライン登録には二つの方法がある。一つの方法は、コンピュータ２００を利用するもので、もう一つの方法は会員モバイル端末機１００を利用する方法である。このような方法を利用して顧客が会員登録すると、銀行のサーバーシステム３００では、会員の姓名、住民登録番号、モバイル端末機番号、電話番号、住所、性別、職業などの会員情報を内部データベースに貯蔵するだけでなく、各会員別または口座別にバーコードを生成して無線インターネットを介してバーコードデータを各会員のモバイル端末機１００に送信することによって、会員モバイル端末機１００のＬＣＤ窓にバーコードをディスプレイできるようにする。
【００４１】
これについて詳しく説明すると、顧客が会員加入のためにＰＣを介して銀行のサーバーシステム３００と連結すると、この銀行のサーバーシステム３００の会員管理部３１１では会員約定書、会員加入手続きなどを案内し、会員から入力してもらった会員姓名、住民登録番号、モバイル端末機番号、電話番号、住所、性別、職業などを内部データベース３１４に保管し、もし加入取り消し時には前記データベース３１４を消滅させる。また、前記会員管理部３１１では、銀行のサーバーシステム３００からどのようなサービスの提供を受けたかに対する記録を保管し、そして誕生日あるいは結婚記念日のような会員個人の記念日には祝賀メッセージを生成して有無線インターネット接続部３１７にこれを送付することによって、会員管理をより有機的で体系的に遂行できるようにする。
【００４２】
このように、会員登録が完了したら、前記会員管理部３１１はバーコード生成部３１２に会員固有のバーコード生成を要請する。この時、前記バーコード生成部３１２は、会員管理部３１１から会員固有のバーコード生成要求を受けて１６桁の十進数に該当する会員番号を選択した後、既存会員が既に使用している番号であるかを確認する。例えば、１６桁の中、２桁は銀行関連コードなので、実際的に各銀行では１４桁に該当する会員番号を決めることができ、定められた１６桁を利用して２桁のチェックコードを作った後、計１８桁に該当する図６に図示したような情報を含むバーコードデータを生成する（Ｓ７１）。
【００４３】
この後、段階（ｂ）では前記各会員に付与されたバーコードを該当会員のモバイル端末機に伝送するのだが、つまり前記のように生成されたバーコードは前記銀行のサーバーシステム３００の有無線インターネット接続部３１７に伝達され、前記有無線インターネット接続部３１７は移動通信網を介して会員のモバイル端末機１００に送出することによって、会員登録の完了された会員がＬＣＤバーコードを使用することができるようになる。
【００４４】
前記のように、会員加入の完了された後、口座管理段階が遂行されるのだが、この時前記銀行のサーバーシステム３００の口座管理部３１３では、各会員に対する入出金を管理することになり、すべての口座関連データの変更は、データベース３１４に貯蔵保管されることになる。このような口座管理を介して、各会員に対して売場クライアントシステム４００あるいは現金支給クライアントシステム５００から口座確認要求が入ったとき、これを確認する機能を遂行する。このような口座管理は随時発生する業務であるが、初期に会員加入を遂行し、口座確認が完了すれば、バーコード送信段階が遂行される。この時、前記銀行のサーバーシステム３００の会員管理部３１１では有無線インターネット接続部３１７を介してバーコードを新規加入会員のモバイル端末機１００に伝送する。
【００４５】
この時、会員モバイル端末機１００は、無線インターネットを介して前記銀行のサーバーシステム３００から会員のＬＣＤバーコードデータの伝送を受けて貯蔵し、この後前記モバイル端末機１００で必要なときに貯蔵されたバーコードをディスプレイさせることができる。前記銀行のサーバーシステム３００と連動して無線バンキングサービスのための各種メッセージを送受信する機能を担当し、特にバーコードデータの中、データの前部分に銀行を示すコードを使用することによって、一人の顧客がお互い異なる銀行関連バーコード多数を貯蔵して選択することができるようにする。
【００４６】
このように、前記銀行のサーバーシステム３００が送信した会員固有のバーコードが、無線ネットワークを介して会員モバイル端末機１００に伝達されることによって、バーコード受信段階が成される。バーコードを受信した会員は、自分のモバイル端末機１００にこれを貯蔵しておき、売場あるいは現金支給機でＬＣＤバーコードを呼び出して使用することになり、各銀行ごとの固有のバーコード体制があるので、例えば各会員は本人が加入している口座の数だけお互い異なるバーコードをモバイル端末機に貯蔵しておくことができる（Ｓ７２）。
【００４７】
以下では、モバイル端末機のＬＣＤバーコードを利用した電子決済方法に関して説明する。
【００４８】
その後、段階（ｃ）では、代金決済を望む会員のモバイル端末機に貯蔵されたバーコード、会員の秘密番号および代金決済金額の入力を受けるのだが、つまり電子決済を遂行しようとするとき、会員は、まず本人の望む銀行を選択し、それに該当するバーコードをモバイル端末機１００のＬＣＤ窓に呼び出し売場のカウンターあるいは現金支給機に付着されているバーコードスキャナー６００を介してスキャンする。このように、会員がクレジットカードサービス、あるいは現金支給サービスを受けるためにＬＣＤバーコードを提示する場合、スキャナーを介してこれを解読して、売場クライアントシステム４００に伝送し、そしてこの売場クライアントシステム４００は、キーボード４３０を介して会員秘密番号の入力を受ける。このように、会員が電子決済を望む場合、バーコードスキャナーを介して解読されたバーコードデータは、売場クライアントシステムの決済処理部４１１に伝達される（Ｓ７３）。
【００４９】
その後、段階（ｄ）で、前記売場クライアントシステム４００は、インターネット網を介して入力されたバーコード情報、会員秘密番号および代金決済金額を銀行のサーバーシステムに伝送して代金決済を要請するのだが、つまり前記決済処理部４１１では、バーコードデータの中、前２桁の数字を利用して会員が決済しようとする銀行を探し出し、１４桁の会員番号を利用して計１６桁の会員コードを決定した後、決済金額をキーボード４３０を介して入力せよとのメッセージをモニター４２０に送出する。この後、売場クライアントシステム４００の決済処理部４１１は、会員が決済を望む銀行のサーバーシステム３００にネットワーク接続部４１４を介して口座確認および残額確認を要請する（Ｓ７４）。
【００５０】
その後、段階（ｅ）で、代金決済要請に従い、前記銀行のサーバーシステム３００は伝送されたバーコードに該当する使用者に対する決済可能可否を判断した後、代金決済が可能である場合代金決済を遂行した後代金決済完了情報を、代金決済が不可能である場合代金決済不可能事由情報を、要請のあった売場クライアントシステム４００に伝送する。
【００５１】
これについて詳しく説明すると、前記銀行のサーバーシステム３００は、クレジットカードサービスのための口座管理、交通費およびベンディングマシーンで硬貨の代わりに決済することのできる少額決済サービスのための口座内容確認、そして一定金額限度内で金額を使用することができるように許諾する前払いカードサービスのための前払いカード金額入金管理および残額確認機能などを遂行する。また、有線あるいは無線網を介して会員が口座確認および口座振替などのサービスの提供を受け、銀行から会員たちに各種新商品紹介などのための有無線バンキングサービス機能も担当する。
【００５２】
前記銀行のサーバーシステム３００の口座管理部３１３は、前記売場クライアントシステム４００から電子決済サービス要求時、会員の決済可能可否を判断し、決済可能である場合に対して、前払いカードサービスの場合は前記口座管理部３１３で予め定められた一定金額以上に使用したかを判断し、一定金額を超えない場合は代金決済を処理した後その結果を通報し、反面一定金額を超えて使用した場合は決済不可通報をネットワークを介して前記売場クライアントシステム４００に通報する。また、残額確認要請が入って場合は該当会員の口座関連データベースを調査して残額を通報する機能を遂行する（Ｓ７５〜Ｓ７７）。
【００５３】
最後に、段階（ｆ）では、代金決済完了情報の伝送を受けた場合代金決済を処理し、代金決済不可能である場合はその事由を画面に表示する。
【００５４】
前記銀行のサーバーシステム３００から決済可能メッセージが伝達されたら、前記売場クライアントシステム４００の使用者確認処理部４１３は顧客が実際のバーコード所有者であることを確認し、この使用者確認を介して最終的に電子決済が完了されたら売上伝票出力段階を遂行するのだが、この時売場クライアントシステム４００の売上伝票出力部４１２は、会員に筆記具を使用した署名をもらうためにプリンターを介して伝票を出力する機能を遂行する。
【００５５】
もし、残額不足または信用不良などによって代金決済が不可能である場合、前記使用者確認処理部４１３は前記銀行のサーバーシステム３００から通報された秘密番号検査結果を基にモニターを介して秘密番号の再入力あるいは決済不可メッセージを送出する（Ｓ７８，Ｓ７９）。
【００５６】
前記のように、前記売場クライアントシステム４００の伝票出力部４１２は、会員に筆記具を使用した署名をもらうためにプリンターを介して伝票を出力する機能を遂行する。このように出力された伝票の上に会員が本人署名を終えたら、コピーされた３枚の伝票の中１枚を会員に伝達し、残りの２枚を売場側で保管するので、本発明によるモバイル端末機（携帯電話、ＰＤＡ，ページャー）のＬＣＤバーコードを利用した電子決済サービス提供が可能である。
【００５７】
以下、インターネットを介したモバイル端末機のＬＣＤバーコードを利用した現金支給方法に関して説明する。
【００５８】
図１乃至図７を参照すると、本発明による現金支給サービスの提供を受けるためには、前記代金決済方法で説明したように、段階（ａ）から段階（ｃ）を遂行しなければならず、これは前記の代金決済方法と同一なので省略する。前述したように、会員登録によってモバイル端末機１００に自分のバーコード、つまり各銀行の口座別バーコードを利用して現金支給方法に関して説明すると次の通りである。
【００５９】
まず、段階（ｄ）では、現金支給クライアントシステム５００は、入力されたバーコード情報、会員秘密番号および現金支給金額を銀行のサーバーシステム３００に伝送し、現金支給を要請する（Ｓ８１，Ｓ８２）。
【００６０】
前記現金支給クライアントシステム５００は、ＬＣＤバーコードを所持した会員に現金支給サービスを提供するための各種手続きおよび機能を遂行するのだが、前述した売場クライアントシステム４００と類似した方法で、現金支給を望む会員が、まずバーコードスキャナー６００を介して本人のＬＣＤバーコードを解読させると、バーコードスキャナー６００は、会員バーコードデータを前記現金支給クライアントシステム５００の現金支給処理部５１１に伝達する。
【００６１】
この時、前記現金支給処理部５１１はモニター５１０を介して会員に会員秘密番号の入力を要求し、キーボード５３０を介して入力された会員秘密番号は使用者確認処理部５１３に伝達される。前記使用者確認処理部５１３は、ネットワーク接続部５１４を介して有線インターネット網で銀行サーバーシステム３００にＬＣＤバーコード会員番号と会員秘密番号とが一致するかを確認要請する。
【００６２】
この後、キーボード５３０を介して入力された現金支給金額を受けた現金支給処理部５１１は、ネットワーク接続部５１４を介して銀行のサーバーシステム３００に口座確認および残額確認を要求する。
【００６３】
その後、段階（ｅ）では、前記で説明したように、現金支給要請に従い、伝送されたバーコードに該当する使用者に対する現金支給可能可否を判断した後、現金支給が可能である場合は現金支給可能情報を、現金支給が不可能である場合は現金支給不可能事由情報を、要請のあった現金支給クライアントシステムに伝送する（Ｓ８４，Ｓ８５）。
【００６４】
最後に、段階（ｆ）では、現金支給可能情報の伝送を受けた場合は現金支給を処理してこの現金支給明細書を出力し、現金支給が不可能である場合はその事由を画面に表示するのだが、詳しく説明すると、前記現金支給クライアントシステム５００の使用者確認処理部５１３は、会員番号と会員秘密番号とが一致しない場合、会員秘密番号の再入力を要求したり、使用不可メッセージをモニター５２０画面に出力し、会員番号と会員秘密番号とが一致する場合、現金支給処理部５１１にこれを通報し、この後、現金支給処理部５１１は会員に支給を望む金額を入力することを要求する。この後、現金支給が可能である場合、現金支給機を介して該当金額を会員に支給する（Ｓ８６，Ｓ８７）。
【００６５】
この時、現金支給と関連したデータは明細表出力部を介してプリントされることによって、本発明によるモバイル端末機（携帯電話、ＰＤＡ、ページャー）のＬＣＤバーコードを利用した現金支給サービス提供が可能である。このような現金支給サービスの場合は、使用者確認を介して最終的に電子決済が完了されたら、現金支給機を介して該当金額を会員に支給し、現金支給と関連したデータは明細表出力部を介してプリントされることによって、全体的な電子決済サービスの提供が可能になる。
【００６６】
上記で説明したように、本発明によると、売場でモバイル端末機を介して代金決済または現金引き出しができるようになるのである。
【００６７】
上述でのような本発明によると、会員登録を介して生成された会員固有のバーコードを銀行のサーバーシステムが無線ネットワークを介して会員のモバイル端末機に送信し、このようなＬＣＤバーコードを利用して売場で電子決済サービスを簡便に提供することができ、交通費およびベンディングマシーンの金額を決済することができる少額決済サービスが可能で、一定金額だけ使用可能にする前払いカードサービスを提供することができるだけでなく、会員のモバイル端末機を介して無線バンキングサービスを提供することができるようにするなど、モバイル端末機所持だけで、各種クレジットカードサービスおよび銀行サービス機能などを安全で統合的に遂行することができる。
【産業上の利用可能性】
【００６８】
前述したように、本発明による効果は次のように要約できる。
【００６９】
１．いつも携帯するモバイル端末機を利用することによって、既存方式が有している携帯の不便性を解消することができる。
【００７０】
２．モバイル端末機に各銀行で発行したバーコードデータを貯蔵しておくことによって、複数個のカードを所持しなければならない既存の方式とは異なり、カード管理の簡便性を期待することができる。
【００７１】
３．マグネットカードの代わりにＬＣＤバーコードを利用することによって、カード制作に所要される費用を節減することのできる経済性が期待される。
【００７２】
４．既存のマグネチック形態のクレジットカードサービスは紛失のおそれが高く、紛失した場合、再発給までの時間が長く所要されるが、本発明は紛失のおそれが少ないだけでなく、別途に再発給時間が所要されないサービスの即時性が期待される。
【００７３】
５．電子貨幣機能のためのスマートカードサービスは、予め定められた金額を使用した後再充電しなければならない不便があったが、本発明は、別途に充電の必要性がないので、使用の便利性がある。
【００７４】
６．既存のマグネチックカードはネットワーク構成が不可能であったが、本発明でのモバイル端末機はメッセージを送受信することができるので、多様なバンキングサービスの具現が可能になる。
【００７５】
７．スマートカードサービスでの少額決済サービスとマグネチックカード形態のクレジットカードサービスとを本発明の電子決済サービスに統合することができるというメリットが期待される。
【００７６】
８．百貨店では、決済サービスだけではなく、顧客管理サービスと連携したサービスが可能なので、多様な応用サービスの創出が期待される。
【００７７】
９．モバイル端末機のＬＣＤバーコードを利用して既存のチケット、クーポン、顧客カードサービスなどを提供する無線バーコード顧客管理システムと連携することによって、使用者の簡便性および便利性を期待することができる。
【００７８】
前記では、本発明の好ましい実施例を参照に説明したが、該当技術分野の熟練された当業者は、下記の特許請求の範囲に記載された本発明の思想および領域から離脱しない範囲内で、本発明を多様に修正および変更させることができることが理解できるであろう。
【００７９】
以上の説明は、本発明の一実施例に対する説明に過ぎず、本発明はその構成の範囲内で多様な変更および改造が可能である。
【図面の簡単な説明】
【００８０】
【図１】図１は、本発明によるモバイル端末機のＬＣＤバーコードを利用した電子決済システムの概略図である。
【図２】図２は、図１の電子決済システムの処理フローチャートである。
【図３】図３は、本発明による銀行のサーバーシステムの構成図である。
【図４】図４は、本発明による売場クライアントシステムの構成図である。
【図５】図５は、本発明による現金支給クライアントシステムの構成図である。
【図６】図６は、本発明に適用されるバーコードの例示図である。
【図７】図７は、本発明によるモバイル端末機のＬＣＤバーコードを利用した電子決済方法を示すフローチャートである。
【図８】図８は、本発明によるモバイル端末機のＬＣＤバーコードを利用した現金支給方法を示すフローチャートである。




【国際調査報告】
2004533050.tif 000045